(57)【要約】【課題】用紙種類に対応する属性情報に従って第一のモード又は第二のモードで片面印刷を行う。【解決手段】画像形成装置１００は、印刷設定が片面印刷である場合、印刷ジョブに含まれる用紙種類に対応する属性情報に設定されたモードが第一のモードであるか第二のモードであるかを判断し、第一のモードである場合、給紙部６０１から搬送路６１１へ搬送された用紙の第一面に画像形成部３０２により画像を形成し、画像が形成された用紙を、再搬送路６１２を介さずに排出部６０５へ排出し、第二のモードである場合、給紙部から搬送路へ搬送された用紙の第一面に画像形成部により画像を形成せずに、用紙を反転部により反転し、再搬送路を通して搬送路へ搬送された用紙の第二面に画像形成部により画像を形成し、用紙を排出部へ排出する。【選択図】  図８
2019162856.tif 000002
【特許請求の範囲】
【請求項１】
用紙が積載される給紙部と、
前記給紙部から給送された前記用紙が搬送される搬送路と、
前記搬送路を搬送される前記用紙に画像を形成する画像形成部と、
前記画像形成部を通過した前記用紙を反転させる反転部と、
前記反転部により反転された前記用紙が搬送される再搬送路と、
前記画像が形成された前記用紙が排出される排出部と、
用紙種類に対応する属性情報を記憶する記憶部と、
前記用紙種類および片面印刷または両面印刷の印刷設定を含む印刷ジョブを受け付ける制御部と、
を備え、
前記印刷設定が前記両面印刷である場合、前記制御部は、前記給紙部から前記搬送路へ搬送された用紙の第一面に前記画像形成部により画像を形成し、前記画像が形成された前記用紙を前記反転部により反転し、前記再搬送路を通して前記搬送路へ搬送された前記用紙の前記第一面と反対の第二面に前記画像形成部により画像を形成し、前記用紙を前記排出部へ排出し、
前記印刷設定が前記片面印刷である場合、前記制御部は、前記印刷ジョブに含まれる前記用紙種類に対応する前記属性情報に設定されたモードが第一のモードであるか第二のモードであるかを判断し、
前記モードが前記第一のモードである場合、前記制御部は、前記給紙部から前記搬送路へ搬送された用紙の第一面に前記画像形成部により画像を形成し、前記画像が形成された前記用紙を、前記再搬送路を介さずに前記排出部へ排出し、
前記モードが前記第二のモードである場合、前記制御部は、前記給紙部から前記搬送路へ搬送された用紙の第一面に前記画像形成部により画像を形成せずに、前記用紙を前記反転部により反転し、前記再搬送路を通して前記搬送路へ搬送された前記用紙の前記第一面と反対の第二面に前記画像形成部により画像を形成し、前記用紙を前記排出部へ排出することを特徴とする画像形成装置。
【請求項２】
前記印刷設定が前記両面印刷である場合、前記制御部は、前記第一面に裏面の画像を形成し、前記第二面に表面の画像を形成することを特徴とする請求項１に記載の画像形成装置。
【請求項３】
前記印刷設定が前記片面印刷であり且つ前記モードが前記第二のモードである場合、前記制御部は、前記第一面の画像データとして白紙面の画像データを設定し、前記第二面に表面の画像を形成することを特徴とする請求項１又は２に記載の画像形成装置。
【請求項４】
前記給紙部は、複数の給紙部を含み、
前記記憶部は、前記複数の給紙部と前記用紙種類との対応関係を記憶しており、
前記印刷ジョブは、給紙部で用紙を指定するか否かが設定される給紙部指定と用紙種類で用紙を指定するか否かが設定される用紙種類指定とを含み、
前記印刷ジョブに用紙種類で用紙を指定することが設定されている場合、前記制御部は、前記用紙種類に従って前記複数の給紙部から給紙部を選択することを特徴とする請求項１乃至３のいずれか一項に記載の画像形成装置。
【請求項５】
前記印刷ジョブに給紙部で用紙を指定しないことが設定され且つ用紙種類で用紙を指定しないことが設定されている場合、前記制御部は、前記用紙種類に対応する前記属性情報に前記第二のモードが設定されている前記用紙種類に対応する給紙部を選択しないことを特徴とする請求項４に記載の画像形成装置。
【発明の詳細な説明】
【技術分野】
【０００１】
本発明は、片面印刷および両面印刷を行う画像形成装置に関する。
【背景技術】
【０００２】
画像形成装置の構成として、用紙を垂直方向へ搬送しながら用紙に印刷する構成（以下、縦パス機という）と、用紙を水平方向へ搬送しながら用紙に印刷する構成（以下、横パス機という）がある。例えば、縦パス機の片面印刷においては、給送カセットにセットされた用紙の上面（第一面）に表面（第一頁）の画像が印刷され、表面の画像が印刷された（セットされた用紙の）上面を下に向けて用紙が排出される。一方、縦パス機の両面印刷においては、給送カセットにセットされた用紙の上面に裏面（第二頁）の画像が印刷される。その後、両面搬送路で用紙が反転され、用紙の下面（第二面）に表面（第一頁）の画像が印刷され、表面の画像が印刷された（セットされた用紙の）下面を下に向けて用紙が排出される。つまり、縦パス機において、片面印刷と両面印刷では、表面の画像が、給送カセットにセットされた用紙の上面と下面のどちらに印刷されるかが異なる。そのため、縦パス機では、プレプリント紙やパンチ済み紙など表面と裏面が異なる用紙へ画像を印刷する場合、片面印刷を行うか両面印刷を行うかに従って用紙の表面と裏面のどちらを上に向けて給送カセットにセットするかが変わる。
【０００３】
ここで、片面印刷時に、給紙部の属性に従って、用紙の上面に表面の画像を印刷せずに用紙を両面搬送路へ通して用紙を反転させ、用紙の下面に表面の画像を印刷する方法が知られている。また、両面印刷時に、用紙の種類に従って、用紙の下面に表面の画像を印刷せずに用紙を両面搬送路へ通して用紙を反転させ、用紙の上面に表面の画像を印刷し、用紙の下面に裏面の画像を印刷する技術がある（特許文献１）。これらにより、縦パス機においても、片面印刷と両面印刷で用紙の上下のセット方向を変更する必要がなくなる。
【先行技術文献】
【特許文献】
【０００４】
【特許文献１】特開２００３−５０４８２号公報
【発明の概要】
【発明が解決しようとする課題】
【０００５】
しかしながら、前述した給紙部の属性に従って片面印刷で両面搬送路を通す技術は、用紙の上面と下面が同等な用紙でも片面印刷で両面搬送路を通すので、印刷が遅くなる。また、特許文献１では、両面印刷の前に用紙を反転するので印刷が遅くなる。
【０００６】
そこで、本発明は、用紙種類に対応する属性情報に従って第一のモード又は第二のモードで片面印刷を行う画像形成装置を提供する。
【課題を解決するための手段】
【０００７】
本発明の一実施例による画像形成装置は、
用紙が積載される給紙部と、
前記給紙部から給送された前記用紙が搬送される搬送路と、
前記搬送路を搬送される前記用紙に画像を形成する画像形成部と、
前記画像形成部を通過した前記用紙を反転させる反転部と、
前記反転部により反転された前記用紙が搬送される再搬送路と、
前記画像が形成された前記用紙が排出される排出部と、
用紙種類に対応する属性情報を記憶する記憶部と、
前記用紙種類および片面印刷または両面印刷の印刷設定を含む印刷ジョブを受け付ける制御部と、
を備え、
前記印刷設定が前記両面印刷である場合、前記制御部は、前記給紙部から前記搬送路へ搬送された用紙の第一面に前記画像形成部により画像を形成し、前記画像が形成された前記用紙を前記反転部により反転し、前記再搬送路を通して前記搬送路へ搬送された前記用紙の前記第一面と反対の第二面に前記画像形成部により画像を形成し、前記用紙を前記排出部へ排出し、
前記印刷設定が前記片面印刷である場合、前記制御部は、前記印刷ジョブに含まれる前記用紙種類に対応する前記属性情報に設定されたモードが第一のモードであるか第二のモードであるかを判断し、
前記モードが前記第一のモードである場合、前記制御部は、前記給紙部から前記搬送路へ搬送された用紙の第一面に前記画像形成部により画像を形成し、前記画像が形成された前記用紙を、前記再搬送路を介さずに前記排出部へ排出し、
前記モードが前記第二のモードである場合、前記制御部は、前記給紙部から前記搬送路へ搬送された用紙の第一面に前記画像形成部により画像を形成せずに、前記用紙を前記反転部により反転し、前記再搬送路を通して前記搬送路へ搬送された前記用紙の前記第一面と反対の第二面に前記画像形成部により画像を形成し、前記用紙を前記排出部へ排出することを特徴とする。
【発明の効果】
【０００８】
本発明によれば、用紙種類に対応する属性情報に従って第一のモード又は第二のモードで片面印刷を行うことができる。
【図面の簡単な説明】
【０００９】
【図１】ＭＦＰを示す図。
【図２】ＭＦＰの制御システムのブロック図。
【図３】操作部を示す図。
【図４】用紙属性設定画面を示す図。
【図５】片面印刷において印刷面優先モードがＯＦＦである場合の用紙の搬送経路を示す図。
【図６】両面印刷における用紙の搬送経路を示す図。
【図７】表面の画像が用紙の上面と下面のどちらに形成されるかを示す説明図。
【図８】ＣＰＵにより実行される印刷動作を示す流れ図。
【図９】ＰＣから印刷を指示する場合の印刷ドライバ画面を示す図。
【図１０】印刷ジョブのデータ構造を示す図。
【図１１】給紙部と用紙種類のデータ構造を示す図。
【図１２】ＣＰＵにより実行される給紙部自動選択動作を示す流れ図。
【図１３】給紙部の自動選択を設定するための画面を示す図。
【発明を実施するための形態】
【００１０】
以下、本発明を実施するための形態について図面を用いて説明する。
【実施例１】
【００１１】
（画像形成装置）
図１を参照して、記録媒体（以下、用紙という）に画像を形成する画像形成装置の一例として複合機（Multi-Function Peripheral）（以下、ＭＦＰという）１００を説明する。図１は、ＭＦＰ１００を示す図である。ＭＦＰ１００は、原稿の画像を読み取るスキャナ部（読取部）３０１と、用紙に画像を形成するプリンタ部（画像形成部）３０２と、画像が形成された用紙に製本処理を行うフィニッシャ（後処理部）１０４とを有する。画像入力デバイスとしてのスキャナ部３０１は、プラテンガラス（不図示）上に載置された原稿を照明し、原稿からの反射光をＣＣＤラインセンサにより走査して、原稿の画像を画像データへ変換する。変換された画像データに基づいて、原稿のカラー判定やサイズ判定が行われる。画像出力デバイスとしてのプリンタ部３０２は、画像データに基づいて用紙に画像を印刷する。本実施例において、プリンタ部３０２は、電子写真方式を用いて用紙に画像を形成する。しかし、プリンタ部３０２は、電子写真方式に限らず、インクジェット方式、静電方式、熱転写方式など様々な種類のプリント方式で用紙に画像を形成してもよい。プリンタ部３０２の下部には、給送カセット６０１が設けられている。用紙は、給送カセット６０１内に積載されている。用紙は、例えば、普通紙、再生紙、厚紙、第二原図紙、ＯＨＰ用紙、色紙、プレパンチ紙、プレ印刷紙、レターヘッド又はラベル紙である。フィニッシャ１０４は、画像が形成された用紙にステイプルや折りなどの製本処理を行う。プリント動作の起動や停止は、ＭＦＰ１００の本体に設けられたコントローラ１０１のＣＰＵ２０１（図２）により制御される。
【００１２】
（制御システム）
図２は、ＭＦＰ１００の制御システム１０のブロック図である。制御システム１０は、ＭＦＰ１００の全体を制御するコントローラ１０１を有する。コントローラ１０１は、スキャナ部３０１を制御するスキャナエンジン１０２及びプリンタ部３０２を制御するプリンタエンジン１０３に電気的に接続される。コントローラ１０１は、フィニッシャ１０４、ネットワークインターフェース１０５、操作部１０６及びモデム１０８に電気的に接続される。スキャナエンジン１０２及びプリンタエンジン１０３は、コントローラ１０１により制御される。プリンタエンジン１０３は、フィニッシャ１０４に電気的に接続される。フィニッシャ１０４は、プリンタ部３０２から出力される複数の用紙をまとめてステイプル処理できる。フィニッシャ１０４は、コントローラ１０１又はプリンタエンジン１０３により制御される。
【００１３】
ネットワークインターフェース１０５は、外部機器とコントローラ１０１との双方向通信を提供する。ネットワークインターフェース１０５は、ローカルエリアネットワーク（以下、ＬＡＮという）２２０を介して外部機器としてのパーソナルコンピュータ（以下、ＰＣという）１０７に接続される。コントローラ１０１は、ネットワークインターフェース１０５を介してＰＣ１０７と双方向通信接続が可能である。モデム１０８は、公衆回線網１０９に接続する。コントローラ１０１は、モデム１０８を介してファクシミリ画像の入出力を行う。操作部１０６は、液晶表示部４０１とキーボード２０４から構成されている。操作部１０６は、コントローラ１０１からの情報を表示するとともにユーザからの指示をコントローラ１０１へ伝える。操作部１０６から実行できる機能は、ネットワークインターフェース１０５に接続されたＰＣ１０７からも実行可能である。
【００１４】
コントローラ１０１は、ＣＰＵ（制御部）２０１、メモリ（記憶部）２０２、ＲＯＭ２１０及びハードディスク等のＤＩＳＫ（記憶部）２１１を有する。ＣＰＵ２０１は、バス２０９を介して、メモリ２０２、操作部１０６、ＲＯＭ２１０及びＤＩＳＫ２１１に接続されている。各種プログラム及びデータは、ＤＩＳＫ２１１又はＲＯＭ２１０に保存されている。ＣＰＵ２０１は、必要に応じてＤＩＳＫ２１１又はＲＯＭ２１０からプログラム及びデータをメモリ２０２へ読み出し、プログラムを実行する。ＤＩＳＫ２１１は、ＭＦＰ１００に着脱可能であってもＭＦＰ１００に内蔵されたものでもよい。プログラムは、ＬＡＮ２２０又は公衆回線網１０９を介して他のＭＦＰからダウンロードされてＤＩＳＫ２１１へ保存されてもよい。
【００１５】
メモリ２０２は、揮発メモリであってもよいし、不揮発メモリであってもよいし、揮発メモリと不揮発メモリの両方の機能を備えていてもよい。あるいは、メモリ２０２が揮発メモリの機能を有し、ＤＩＳＫ２１１が不揮発メモリの機能を有するように構成されていてもよい。メモリ２０２及び／又はＤＩＳＫ２１１は、ＭＦＰ１００に対して取り外し可能なメモリメディアであってもよい。ＣＰＵ２０１は、操作部１０６の液晶表示部４０１にデータを書き込むことにより情報を表示する。ＣＰＵ２０１は、キーボード２０４又はタッチパネルになっている液晶表示部４０１からデータを読み出すことにより、ユーザからの指示を入力する。ＣＰＵ２０１へ入力された情報は、メモリ２０２、ＤＩＳＫ２１１又はＣＰＵ２０１に保存され、様々な処理に使用される。
【００１６】
バス２０９は、ネットワークインターフェース１０５に接続されている。ＣＰＵ２０１は、ネットワークインターフェース１０５からデータを読み込む又は書き込むことによりＰＣ１０７などの外部機器と双方向通信を行う。バス２０９は、モデム１０８に接続されている。ＣＰＵ２０１は、モデム１０８を使用し、公衆回線網１０９を通してファクシミリ画像の送信又は受信を行う。バス２０９は、プリンタエンジン１０３、フィニッシャ１０４及びスキャナエンジン１０２に接続されている。ＣＰＵ２０１は、プリンタエンジン１０３、フィニッシャ１０４及びスキャナエンジン１０２にデータの読み書きを行い、プリント（画像形成）、製本及びスキャン（画像読取）の動作および各種ステータスの取得を行う。画像データは、スキャナエンジン１０２又はネットワークインターフェース１０５からコントローラ１０１へ入力され、ＤＩＳＫ２１１又はメモリ２０２に保存される。あるいは、取り外し可能なメモリメディアに予め画像データを保存し、メモリメディアをＭＦＰ１００に装着することにより、画像データをメモリメディアからコントローラ１０１へ取り込むことも可能である。
【００１７】
なお、本実施例の画像形成装置は、ＭＦＰ１００に限らず、ＳＦＰ（Single Function Printer）であってもよい。また、スキャナ部３０１、プリンタ部３０２及びフィニッシャ１０４は、ＭＦＰ１００の内部ではなく、ＬＡＮ２２０又は公衆回線網１０９上にそれぞれ単体の周辺機器として設けられ、コントローラ１０１により制御されてもよい。
【００１８】
（操作部）
図３を参照して、操作部１０６を説明する。図３は、操作部１０６を示す図である。液晶表示部４０１は、液晶上にタッチパネルシートが貼られている。液晶表示部４０１は、操作画面及びソフトキーを表示する。液晶表示部４０１は、表示されたソフトキーがユーザによりタッチされるとその位置情報をコントローラ１０１のＣＰＵ２０１へ伝える。キーボード２０４は、スタートキー４０２、ストップキー４０４、テンキー４０５及びユーザモードキー４０６を有する。例えば、原稿の画像を読み取る場合、ユーザによりスタートキー４０２が押されると原稿の画像の読み取り動作が開始される。スタートキー４０２の中央部には、緑と赤の２色ＬＥＤ４０３が設けられている。２色ＬＥＤ４０３が緑色に発光している場合、スタートキー４０２は、使用可能な状態にある。２色ＬＥＤ４０３が赤色に発光している場合、スタートキー４０２は、使用できない状態にある。ストップキー４０４が押されると、稼働中の動作が停止される。テンキー４０５は、数字と文字のボタン群で構成されている。ユーザは、テンキー４０５を用いて、コピー部数を設定したり、液晶表示部４０１の画面切り換えを指示したりする。ユーザモードキー４０６は、機器設定を行う時にユーザにより押される。
【００１９】
（（用紙属性設定画面））
図４を参照して、コントローラ１０１のＣＰＵ２０１からの指示により液晶表示部４０１に表示される用紙属性設定画面５０１の一例を説明する。図４（ａ）は、用紙属性設定画面５０１を示す図である。用紙属性設定画面５０１には、用紙種類としての用紙識別子（以下、用紙ＩＤという）のそれぞれの用紙属性（属性情報）５０２の設定値が表示される。用紙属性５０２は、坪量、表面性、特徴、色、プレプリント用紙（以下、印刷面優先モードという）５０３を含む。ユーザは、用紙属性設定画面５０１において用紙属性５０２の設定値を変更できる。用紙属性５０２は、メモリ（記憶部）２０２に保存される。印刷面優先モード５０３は、片面印刷の場合に両面印刷用の再搬送路６１２（図６）へ用紙を通すか否かを判断するための印刷面優先属性である。印刷面優先モード５０３は、図４（ｂ）でＯＮ／ＯＦＦ設定を変更することができる。印刷面優先モード５０３がＯＮ５０５である場合、片面印刷の場合に用紙の第一面（上面）に印刷せずに用紙を両面印刷用の再搬送路６１２（図６）へ通し、用紙を反転した後、用紙の第一面とは反対の第二面（下面）に表面の画像を印刷する。これにより、片面印刷と両面印刷ともに、給送カセット６０１にセットされた用紙の下面に表面の画像が印刷され、表面の画像が印刷された下面を下に向けて排出部６０５へ用紙が排出される。印刷面優先モード５０３がＯＦＦ５０４である場合、片面印刷の場合に用紙の第一面（上面）に印刷する。
【００２０】
（用紙の搬送経路）
図５を用いて、本実施例のＭＦＰ１００の片面印刷において印刷面優先モード５０３がＯＦＦである場合の用紙Ｓの搬送経路を説明する。図５は、片面印刷において印刷面優先モード５０３がＯＦＦである場合の用紙Ｓの搬送経路を示す図である。片面印刷において印刷面優先モード５０３がＯＦＦである場合、ＭＦＰ１００は、速度優先モード（第一のモード）で動作する。ＭＦＰ１００は、用紙Ｓを垂直方向へ搬送しながら用紙Ｓに印刷する構成（以下、縦パス機という）である。搬送路６１１は、給送ローラ６２１から転写部６０２及び定着部６０４を通り排出ローラ６２２へ延在する。図５において、説明のために、給送カセット６０１に積載された用紙Ｓの上面に△マークを付与してある。
【００２１】
給紙部としての給送カセット６０１は、複数の給紙段（以下、給紙部という）からなる。本実施例において、複数の給紙部は、第一給紙部６３１、第二給紙部６３２、第三給紙部６３３及び第四給紙部６３４を有する。複数の給紙部は、更に、手差トレイとしての第五給紙部６３５を有していてもよい。用紙Ｓは、給送ローラ６２１により給送カセット６０１から位置Ｐ１へ搬送される。位置Ｐ１で、トナー像は、転写部６０２により用紙Ｓへ転写される。用紙Ｓは、位置Ｐ２へ搬送される。位置Ｐ２で、トナー像は、定着部６０４により用紙Ｓに定着される。上面に表面の画像が形成された用紙Ｓは、表面の画像が形成された上面を下に向けて排出ローラ６２２により排出部６０５へ排出される。このように、片面印刷において印刷面優先モード５０３がＯＦＦである場合、給送カセット６０１へセットされた用紙Ｓの上面に表面の画像が形成され、表面の画像が形成された上面を下に向けて用紙Ｓが排出部６０５へ排出される。なお、ここでは、片面印刷において形成される画像を表面の画像という。
【００２２】
図６を用いて、本実施例のＭＦＰ１００の両面印刷における用紙Ｓの搬送経路を説明する。再搬送路６１２は、定着部６０４と排出ローラ６２２の間から給送ローラ６２１と転写部６０２の間へ延在する。再搬送路６１２には、反転部６２４が設けられている。反転部６２４は、反転路６１３及び反転ローラ６２３が設けられている。反転部６２４は、搬送路６１１上を搬送され、プリンタ部３０２を通過した用紙Ｓを反転させて、再搬送路６１２へ搬送させる。図５と同様に、図６において、説明のために、給送カセット６０１に積載された用紙Ｓの上面に△マークを付与してある。給送カセット６０１から給送された用紙Ｓの上面（第一面）への裏面の画像の形成のための用紙Ｓの搬送は、図５と同様であるので、図６では図示を省略する。用紙Ｓの上面（第一面）へ裏面の画像が定着された後、用紙Ｓは、搬送路切替えフラッパ（不図示）の作用により反転路６１３の位置Ｐ３へ搬送される。用紙Ｓは、反転ローラ６２３の逆転によりスイッチバックされ、用紙Ｓの後端を先端にして位置Ｐ３から再搬送路６１２上の位置Ｐ４へ搬送される。用紙Ｓは、再び、搬送路６１１へ戻り、位置Ｐ１で転写部６０２により用紙Ｓの下面（第二面）へ表面のトナー像が転写される。用紙Ｓは、位置Ｐ２で定着部６０４により用紙Ｓの下面（第二面）に表面のトナー像が定着される。下面（第二面）に表面の画像が形成された用紙Ｓは、表面の画像が形成された下面（第二面）を下に向けて排出ローラ６２２により排出部６０５へ排出される。このように、両面印刷において、給送カセット６０１へセットされた用紙Ｓの下面（第二面）に表面の画像が形成され、表面の画像が形成された下面（第二面）を下に向けて用紙Ｓが排出部６０５へ排出される。なお、ここでは、両面印刷において用紙Ｓの両面に形成されるべき二つの画像のうち先の頁の画像を表面の画像といい、後の頁の画像を裏面の画像という。両面印刷においては、後の頁の画像である裏面の画像が先の頁の画像である表面の画像より先に用紙Ｓに形成される。
【００２３】
本実施例において、プレパンチ紙、プレ印刷紙、レターヘッド又はラベル紙などの表面と裏面が異なる用紙Ｓへ画像を印刷する場合、用紙Ｓの表面を下に向けて用紙Ｓが給送カセット６０１に積載される。手差トレイとしての第五給紙部６３５の場合、用紙Ｓの表面を上に向けて用紙Ｓが第五給紙部６３５に積載される。ユーザは、用紙Ｓの用紙ＩＤの印刷面優先モードをＯＮに設定する。両面印刷の場合、上述したように、給送カセット６０１へセットされた用紙Ｓの上面（裏面）に裏面の画像が形成され、用紙Ｓの下面（表面）に表面の画像が形成され、表面の画像が形成された下面（表面）を下に向けて用紙Ｓが排出部６０５へ排出される。片面印刷において印刷面優先モード５０３がＯＮである場合、用紙Ｓは、図５に示す搬送経路ではなく図６に示す両面印刷用の搬送経路に沿って搬送される。ただし、給送カセット６０１へセットされた用紙Ｓの上面（裏面）には画像が形成されず、用紙Ｓの下面（表面）に表面の画像が形成され、表面の画像が形成された下面（表面）を下に向けて用紙Ｓが排出部６０５へ排出される。
【００２４】
本実施例によれば、用紙Ｓの用紙ＩＤの印刷面優先モードがＯＮである場合、片面印刷か両面印刷かにかかわらず、給送カセット６０１へセットされた用紙Ｓの下面（表面）に表面の画像が形成される。そして、表面の画像が形成された下面（表面）を下に（同じ向きに）向けて用紙Ｓが排出部６０５へ排出される。つまり、本実施例によれば、用紙Ｓの用紙ＩＤの印刷面優先モードが設定されている場合、用紙Ｓは、片面印刷において両面印刷用搬送路である再搬送路６１２へ搬送される。これによって、片面印刷と両面印刷とのどちらにおいても表面の画像が形成された下面（表面）を下に向けて用紙Ｓを排出部６０５へ排出することができるので、両面印刷において不必要に印刷時間が長くなることを防止できる。
【００２５】
図７を参照して、ＭＦＰ１００において、片面印刷と両面印刷とで、給送カセット６０１にセットされた用紙の上面と下面のどちらに表面の画像を形成するかを説明する。図７は、表面の画像が用紙の上面と下面のどちらに形成されるかを示す説明図である。給送カセット６０１には、表面と裏面が異なる用紙（プレプリント用紙）が積載されているとする。説明の都合上、図７（ａ）に示すように、給送カセット６０１にセットされた用紙の上面は白紙であり、用紙の下面には、「下」という文字が印刷済みであるとする。図７（ｂ）は、片面印刷において印刷面優先モードがＯＦＦである場合に表面の画像が形成された用紙の一例を示す図である。１枚目から３枚目まで、用紙の上面に表面の画像が印刷される。図７（ｃ）は、両面印刷の場合に表面の画像及び裏面の画像が形成された用紙の一例を示す図である。ＭＦＰ１００において、用紙の表面をフェイスダウン排紙するために、まず、裏面の画像が用紙の上面に形成され、次に、用紙が反転されて表面の画像が用紙の下面に形成される。ここで、図７（ｂ）と図７（ｃ）を比較してわかるように、片面印刷と両面印刷とで、表面の画像が形成される面がそれぞれ用紙の上面と下面であり異なる。本実施例においては、片面印刷でも両面印刷と同じく用紙の下面に表面を印刷するために、表面と裏面が異なる用紙がセットされ印刷面優先モードがＯＮされた用紙ＩＤが設定された場合、片面印刷でも用紙を再搬送路６１２へ搬送する。図７（ｄ）は、片面印刷において印刷面優先モードがＯＮである場合に表面の画像が形成された用紙の一例を示す図である。１枚目から３枚目まで、用紙の下面に表面の画像が印刷される。図７（ｃ）と図７（ｄ）を比較してわかるように、片面印刷と両面印刷とで、表面の画像が形成され面がともに用紙の下面であり一致している。
【００２６】
（印刷動作）
図８は、ＣＰＵ２０１により実行される印刷動作を示す流れ図である。本実施例において、コントローラ１０１のＣＰＵ２０１は、印刷面優先モードがＯＮであるか否かに従って印刷設定を片面印刷から両面印刷へ切り換えるか否かを判断する。印刷動作のプログラムは、ＲＯＭ２１０又はＤＩＳＫ２１１に保存されている。ＣＰＵ２０１は、プログラムをＲＯＭ２１０又はＤＩＳＫ２１１からメモリ２０２へ読み出し、印刷動作を実行する。
【００２７】
印刷動作が開始されると、Ｓ７０１において、ＣＰＵ２０１は、印刷ジョブを受け付ける。Ｓ７０２において、ＣＰＵ２０１は、Ｓ７０１で受け付けた印刷ジョブの設定から、印刷設定が片面印刷であるか両面印刷であるかを示す情報を取得する。図９を参照して、印刷ジョブの設定方法の一例を説明する。図９は、ＰＣ１０７から印刷を指示する場合の印刷ドライバ画面１００１を示す図である。ユーザは、給紙タブにおける「用紙の指定方法」のボックス内の「用紙種類で指定」１００２を選択する。印刷ジョブは、用紙指定として、給紙部で用紙を指定する給紙部指定および用紙種類で用紙を指定する用紙種類指定を含む。用紙指定に従って給紙部が選択される。ここでは、「給紙部で指定」ではなく「用紙種類で指定」１００２が選択される。ユーザは、用紙種類をボックス１００３で指定する。ここでは、用紙ＩＤ１が指定される。印刷ジョブに用紙ＩＤ１が設定される。ＣＰＵ２０１は、印刷ジョブの設定に基づいて、ＭＦＰ１００に、用紙ＩＤ１の用紙に印刷する印刷動作を実行させる。図１０は、印刷ジョブのデータ構造１１０１を示す図である。印刷ジョブの設定は、部数、給紙部指定、用紙サイズ指定、用紙種類指定１１０２及び片面印刷／両面印刷の指定１１０３を含む。図１０に示すデータ構造１１０１の例において、用紙種類指定１１０２に用紙種類として用紙ＩＤ１が指定され、片面印刷／両面印刷の指定１１０３に片面印刷が指定されている。
【００２８】
Ｓ７０３において、ＣＰＵ２０１は、Ｓ７０２で取得した情報から印刷設定が片面印刷であるか否かを判断する。印刷設定が両面印刷であれば（Ｓ７０３でＮＯ）、ＣＰＵ２０１は、処理をＳ７０９へ進める。一方、印刷設定が片面印刷であれば（Ｓ７０３でＹＥＳ）、ＣＰＵ２０１は、処理をＳ７０４へ進める。Ｓ７０４において、ＣＰＵ２０１は、受け付けた印刷ジョブの設定から、用紙種類指定の情報を取得する。Ｓ７０５において、ＣＰＵ２０１は、用紙種類指定の情報に基づいて、用紙を給送する給紙部を選択する。Ｓ７０６において、ＣＰＵ２０１は、選択された給紙部に積載されている用紙の用紙属性を取得する。
【００２９】
図１１を用いて、給紙部と用紙属性との対応関係を説明する。図１１は、給紙部と用紙種類のデータ構造を示す図である。第一給紙部６３１、第二給紙部６３２、第三給紙部６３３及び第四給紙部６３４のそれぞれと用紙種類を関連づけたデータ構造１２０１は、メモリ２０２又はＤＩＳＫ２１１に保存されている。給紙部毎に紐づいた用紙種類は、用紙ＩＤ１、用紙ＩＤ２又は用紙ＩＤ３に指定されている。第一給紙部６３１、第二給紙部６３２、第三給紙部６３３及び第四給紙部６３４の用紙種類は、例えば、図１１に示すように、用紙ＩＤ１、用紙ＩＤ２、用紙ＩＤ１及び用紙ＩＤ３にそれぞれ指定されている。用紙ＩＤ１、用紙ＩＤ２及び用紙ＩＤ３に紐づいた用紙属性１２１１、用紙属性１２１２及び用紙属性１２１３のデータ構造は、メモリ２０２又はＤＩＳＫ２１１に保存されている。各用紙ＩＤに紐づいた印刷面優先モード（プレプリント用紙）がＯＮであるかＯＦＦであるかの情報は、用紙属性１２１１、用紙属性１２１２及び用紙属性１２１３のデータ構造から取得できる。用紙属性１２１１、用紙属性１２１２及び用紙属性１２１３の設定値は、図４に示した用紙属性設定画面５０１から変更可能である。
【００３０】
例えば、用紙種類が用紙ＩＤ１である場合、ＣＰＵ２０１は、Ｓ７０５において第一給紙部６３１又は第三給紙部６３３を自動選択し、Ｓ７０６において用紙ＩＤ１の用紙属性１２１１を取得する。用紙種類が用紙ＩＤ２である場合、ＣＰＵ２０１は、Ｓ７０５において第二給紙部６３２を自動選択し、Ｓ７０６において用紙ＩＤ２の用紙属性１２１２を取得する。用紙種類が用紙ＩＤ３である場合、ＣＰＵ２０１は、Ｓ７０５において第四給紙部６３４を自動選択し、Ｓ７０６において用紙ＩＤ３の用紙属性１２１３を取得する。
【００３１】
Ｓ７０７において、ＣＰＵ２０１は、Ｓ７０６で取得した用紙属性からプレプリント用紙（以下、印刷面優先モードという）がＯＮであるか否かを判断する。印刷面優先モードがＯＮであれば（Ｓ７０７でＹＥＳ）、ＣＰＵ２０１は、処理をＳ７０８へ進める。Ｓ７０８において、ＣＰＵ２０１は、片面印刷の画像データに、裏面の画像データとして白紙面の画像データを挿入する。Ｓ７０９において、ＣＰＵ２０１は、両面印刷を行う。上述したように、両面印刷において、用紙の第一面（上面）に印刷せずに用紙を再搬送路６１２へ通し、用紙を反転した後、用紙の第二面（下面）に表面の画像を形成する。これによって、第一給紙部６３１又は第三給紙部６３３にセットされた用紙の下面に表面の画像が印刷され、表面の画像が印刷された下面を下に向けて排出部６０５へ用紙が排出される。ＣＰＵ２０１は、印刷動作を終了する。一方、印刷面優先モードがＯＦＦであれば（Ｓ７０７でＮＯ）、ＣＰＵ２０１は、処理をＳ７１０へ進める。Ｓ７１０において、ＣＰＵ２０１は、図５で説明した速度優先モード（第一のモード）で片面印刷を行う。用紙の第一面（上面）に表面の画像を形成し、用紙を再搬送路６１２へ通さずに排出部６０５へ排出する。ＣＰＵ２０１は、印刷動作を終了する。
【００３２】
本実施例によれば、表面と裏面が異なる用紙へ画像を印刷する場合、両面印刷のために表面を下に向けて給紙部にセットされた用紙を、片面印刷のために表面を上に向けて給紙部へセットし直す必要がなくなる。本実施例によれば、用紙種類に対応する属性情報に従って速度優先モード（第一のモード）又は印刷面優先モード（第二のモード）で片面印刷を行うことができる。
【実施例２】
【００３３】
以下、実施例２を説明する。実施例２において、実施例１と同様の構造には、同様の参照符号を付して説明を省略する。実施例２のＭＦＰ１００、制御システム１０、操作部１０６、用紙属性設定画面５０１、用紙の搬送経路及び印刷動作は、実施例１と同様であるので説明を省略する。実施例１において、印刷ジョブは、給紙部で用紙を指定する用紙指定または用紙種類で用紙を指定する用紙指定を含む。用紙指定に従って給紙部が選択される。これに対して、実施例２のＭＦＰ１００は、印刷ジョブに給紙部指定も用紙種類指定も指定されていない場合に、プレプリント用紙（印刷面優先モード）がＯＮである給紙部を除いた給紙部を自動的に選択する。以下、実施例２による給紙部自動選択を説明する。
【００３４】
（給紙部自動選択）
以下、図１２及び図１３を参照して、実施例２による給紙部自動選択を説明する。図１２は、ＣＰＵ２０１により実行される給紙部自動選択動作を示す流れ図である。本実施例において、コントローラ１０１のＣＰＵ２０１は、用紙属性５０２に設定されたプレプリント用紙（以下、印刷面優先モードという）のＯＮ／ＯＦＦ状態に基づいて自動選択可能な給紙部を決定する。給紙部自動選択動作のプログラムは、ＲＯＭ２１０又はＤＩＳＫ２１１に保存されている。ＣＰＵ２０１は、プログラムをＲＯＭ２１０又はＤＩＳＫ２１１からメモリ２０２へ読み出し、給紙部自動選択動作を実行する。
【００３５】
給紙部自動選択動作が開始されると、Ｓ９０１において、ＣＰＵ２０１は、印刷ジョブを受け付ける。Ｓ９０２において、ＣＰＵ２０１は、Ｓ９０１で受け付けた印刷ジョブに給紙部指定又は用紙種類指定があるか否かを判断する。印刷ジョブに給紙部指定又は用紙種類指定がある場合（Ｓ９０２でＹＥＳ）、ＣＰＵ２０１は、処理をＳ９０３へ進める。Ｓ９０３において、ＣＰＵ２０１は、給紙部指定又は用紙種類指定に従って給紙部を選択する。ＣＰＵ２０１は、給紙部自動選択動作を終了する。一方、印刷ジョブに給紙部指定も用紙種類指定もない場合（Ｓ９０２でＮＯ）、ＣＰＵ２０１は、処理をＳ９０４へ進める。Ｓ９０４において、ＣＰＵ２０１は、自動選択が設定されている給紙部の全てから用紙属性を取得したか否かを判断する。
【００３６】
ここで、図１３を参照して、給紙部を自動選択対象とするための設定方法を説明する。図１３は、給紙部の自動選択を設定するための画面５１１及び５１２を示す図である。画面５１１及び５１２は、操作部１０６の液晶表示部４０１に表示される。図１３（ａ）は、給紙部の自動選択を設定するジョブを選択する画面５１１を示す図である。給紙部の自動選択を設定する図１３（ａ）に示す画面５１１が液晶表示部４０１に表示される。給紙部自動選択のＯＮ／ＯＦＦは、「コピー」や「プリンタ」などジョブ種毎に設定可能である。図１３（ａ）に示す画面５１１の中のコポーボタン８０１がタッチされると、図１３（ｂ）に示す画面５１２が液晶表示部４０１に表示される。図１３（ｂ）は、コピージョブで自動選択が設定可能な第一給紙部６３１の設定ボタン８０２、第二給紙部６３２の設定ボタン８０３、第三給紙部６３３の設定ボタン８０４及び第四給紙部６３４の設定ボタン８０５を示す図である。図１３（ｂ）に示す例において設定ボタン８０２、８０３及び８０４がＯＮに設定されているので、コピージョブでは、第一給紙部６３１、第二給紙部６３２及び第三給紙部６３３が自動選択対象となる。設定ボタン８０５はＯＦＦに設定されているので、第四給紙部６３４は自動選択対象から外される。給紙部の自動選択対象の設定に関する情報は、メモリ２０２に保存される。
【００３７】
自動選択が設定されている給紙部の全てから用紙属性を取得していない場合（Ｓ９０４でＮＯ）、ＣＰＵ２０１は、Ｓ９０５において、自動選択対象である第一給紙部６３１の用紙属性１２１１を取得する。実施例２における給紙部と用紙属性との対応関係は、図１１を用いて説明した実施例１と同様である。Ｓ９０６において、ＣＰＵ２０１は、Ｓ９０５で取得した用紙属性１２１１から印刷面優先モードがＯＮであるか否かを判断する。図１１の例では、第一給紙部６３１の用紙属性１２１１の印刷面優先モードはＯＮであるので（Ｓ９０６でＹＥＳ）、ＣＰＵ２０１は、Ｓ９０７において、第一給紙部６３１を自動選択対象から外す。ＣＰＵ２０１は、処理をＳ９０４へ戻す。
【００３８】
自動選択が設定されている給紙部の全てから用紙属性を取得していないので（Ｓ９０４でＮＯ）、ＣＰＵ２０１は、Ｓ９０５において、自動選択対象である第二給紙部６３２の用紙属性１２１２を取得する。Ｓ９０６において、ＣＰＵ２０１は、Ｓ９０５で取得した用紙属性１２１２から印刷面優先モードがＯＮであるか否かを判断する。図１１の例では、第二給紙部６３２の用紙属性１２１２の印刷面優先モードはＯＦＦであるので（Ｓ９０６でＮＯ）、ＣＰＵ２０１は、Ｓ９０８において、第二給紙部６３２を自動選択対象にする。ＣＰＵ２０１は、処理をＳ９０４へ戻す。
【００３９】
自動選択が設定されている給紙部の全てから用紙属性を取得していないので（Ｓ９０４でＮＯ）、ＣＰＵ２０１は、Ｓ９０５において、自動選択対象である第三給紙部６３３の用紙属性１２１１を取得する。Ｓ９０６において、ＣＰＵ２０１は、Ｓ９０５で取得した用紙属性１２１１から印刷面優先モードがＯＮであるか否かを判断する。図１１の例では、第三給紙部６３３の用紙属性１２１１の印刷面優先モードはＯＮであるので（Ｓ９０６でＹＥＳ）、ＣＰＵ２０１は、Ｓ９０７において、第三給紙部６３３を自動選択対象から外す。ＣＰＵ２０１は、処理をＳ９０４へ戻す。
【００４０】
第四給紙部６３４は自動選択対象から外されているので、ＣＰＵ２０１は、Ｓ９０４で、自動選択が設定されている給紙部の全てから用紙属性を取得したと判断し（Ｓ９０４でＹＥＳ）、給紙部自動選択動作を終了する。このように、図１３に示す例において自動選択対象として設定された第一給紙部６３１、第二給紙部６３２及び第三給紙部６３３から、図１１に示す例において印刷面優先モードがＯＮである第一給紙部６３１及び第三給紙部６３３が除かれる。これによって、第二給紙部６３２のみが自動選択対象として設定される。
【００４１】
本実施例によれば、印刷面優先モードがＯＮに設定されている用紙属性に紐づいた給紙部が自動選択対象から外される。よって、給紙部が自動的に選択される場合であっても、印刷面優先モードがＯＮに設定されている用紙属性に紐づいた給紙部に積載された表面と裏面が異なる用紙が誤って給送されて用紙の裏面に表面の画像が形成されることを防止できる。
【符号の説明】
【００４２】
１００・・・ＭＦＰ（画像形成装置）
２０１・・・ＣＰＵ（制御部）
２０２・・・メモリ（記憶部）
２１１・・・ＤＩＳＫ（記憶部）
３０２・・・プリンタ部（画像形成部）
６０１・・・給送カセット（給紙部）
６０５・・・排出部
６１１・・・搬送路
６１２・・・再搬送路
６２４・・・反転部
【図１】
2019162856.tif 000003
【図２】
2019162856.tif 000004
【図３】
2019162856.tif 000005
【図４】
2019162856.tif 000006
【図５】
2019162856.tif 000007
【図６】
2019162856.tif 000008
【図７】
2019162856.tif 000009
【図８】
2019162856.tif 000010
【図９】
2019162856.tif 000011
【図１０】
2019162856.tif 000012
【図１１】
2019162856.tif 000013
【図１２】
2019162856.tif 000014
【図１３】
2019162856.tif 000015